【手続補正書】
【提出日】平成24年6月28日(2012.6.28)
【手続補正１】
【補正対象書類名】明細書
【補正対象項目名】発明の名称
【補正方法】変更
【補正の内容】
【発明の名称】画像形成装置および画像形成装置の制御方法
【手続補正２】
【補正対象書類名】明細書
【補正対象項目名】０００１
【補正方法】変更
【補正の内容】
【０００１】
本発明は、像担持体に担持されたトナー像をシートに形成する画像形成装置および画像形成装置の制御方法に関する。
【手続補正３】
【補正対象書類名】明細書
【補正対象項目名】００１１
【補正方法】変更
【補正の内容】
【００１１】
そこで、本発明は、検知用のトナー像が担持された像担持体上の位置からの反射光を検出した結果に基づいて検知用のトナー像の濃度を算出する際のダウンタイムを抑制することができる画像形成装置および画像形成装置の制御方法を提供することを目的とする。
【手続補正４】
【補正対象書類名】明細書
【補正対象項目名】００１２
【補正方法】変更
【補正の内容】
【００１２】
上記目的を達成するために、本発明の画像形成装置は、回転駆動される像担持体と、前記像担持体にトナー像を形成し、前記像担持体上のトナー像をシートに転写することで、シート上にトナー像を形成する像形成手段と、前記像形成手段によって前記像担持体上に検知用トナー像を形成させる制御手段と、前記像担持体に向けて光を照射する発光部と、前記発光部を発光させることで、前記像担持体からの反射光と、前記像担持体上に形成された前記検知用トナー像からの反射光とを受光する受光部を有し、前記受光部に受光される反射光量を検出する光検出手段と、前記像担持体の回転方向における前記像担持体の一周未満でトナー像が形成されていない領域からの反射光量と前記像担持体の回転方向における前記像担持体の一周に亘る反射光量とでパターンマッチングを行うことにより前記像担持体の回転方向における前記領域の位置を特定し、前記特定された前記領域の位置と、前記領域と前記検知用トナー像が形成されるべき位置との予め決められた位置関係とに基づき、前記検知用トナー像が形成されるべき位置における前記像担持体からの反射光量を特定する特定手段と、前記特定手段により特定される前記位置における前記像担持体からの反射光量と、前記光検出手段により検出される前記検知用トナー像からの反射光量とに基づき、前記検知用トナー像の濃度を決定する濃度決定手段と、を有することを特徴とする。
【手続補正５】
【補正対象書類名】明細書
【補正対象項目名】００１３
【補正方法】変更
【補正の内容】
【００１３】
本発明によれば、検知用のトナー像が担持された像担持体上の位置からの反射光を検出した結果に基づいて検知用のトナー像の濃度を算出する際のダウンタイムを抑制することができる。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２１
【補正方法】変更
【補正の内容】
【００２１】
本発明の画像形成装置および画像形成装置の制御方法の実施の形態について図面を参照しながら説明する。
【手続補正１３】
【補正対象書類名】特許請求の範囲
【補正対象項目名】全文
【補正方法】変更
【補正の内容】
【特許請求の範囲】
【請求項１】
回転駆動される像担持体と、
前記像担持体にトナー像を形成し、前記像担持体上のトナー像をシートに転写することで、シート上にトナー像を形成する像形成手段と、
前記像形成手段によって前記像担持体上に検知用トナー像を形成させる制御手段と、
前記像担持体に向けて光を照射する発光部と、前記発光部を発光させることで、前記像担持体からの反射光と、前記像担持体上に形成された前記検知用トナー像からの反射光とを受光する受光部を有し、前記受光部に受光される反射光量を検出する光検出手段と、
前記像担持体の回転方向における前記像担持体の一周未満でトナー像が形成されていない領域からの反射光量と前記像担持体の回転方向における前記像担持体の一周に亘る反射光量とでパターンマッチングを行うことにより前記像担持体の回転方向における前記領域の位置を特定し、前記特定された前記領域の位置と、前記領域と前記検知用トナー像が形成されるべき位置との予め決められた位置関係とに基づき、前記検知用トナー像が形成されるべき位置における前記像担持体からの反射光量を特定する特定手段と、
前記特定手段により特定される前記検知用のトナー像が形成されるべき位置における前記像担持体からの反射光量と、前記光検出手段により検出される前記検知用トナー像からの反射光量とに基づき、前記検知用トナー像の濃度を決定する濃度決定手段と、を有することを特徴とする画像形成装置。
【請求項２】
前記像担持体の一周未満でトナー像が形成されていない前記領域は、前記像形成手段によって前記像担持体に連続して形成される複数のトナー像の間のトナー像が形成されていない領域であることを特徴とする請求項１に記載の画像形成装置。
【請求項３】
前記像担持体の回転方向における前記像担持体の一周に亘る反射光量には、前記発光部を第１の発光量で発光させたときに前記光検出手段により検出された第１の反射光量と、前記発光部を前記第１の発光量よりも少ない第２の発光量で発光させたときに前記光検出手段により検出された第２の反射光量とがあり、
前記特定手段は、前記第１の反射光量と前記発光部を前記第１の発光量で発光させたときに前記光検出手段により検出される前記領域からの反射光量とに基づき前記パターンマッチングを行い、前記パターンマッチングを行った結果と、前記第２の反射光量と、前記位置関係とに基づき、前記第２の反射光量の内、前記検知用トナー像が形成されるべき位置における前記像担持体からの反射光量を特定することを特徴とする請求項１又は２に記載の画像形成装置。
【請求項４】
前記光検出手段は、前記受光部に受光される反射光量を増幅させる増幅部を有し、
前記像担持体の回転方向における前記像担持体の一周に亘る反射光量には、前記増幅部を第１の出力ゲインに設定したときに前記光検出手段により検出された第１の反射光量と、前記増幅部を前記第１の出力ゲインよりも低い第２の出力ゲインに設定したときに前記光検出手段により検出された第２の反射光量とがあり、
前記特定手段は、前記第１の反射光量と前記増幅部を前記第１の出力ゲインに設定したときに前記光検出手段により検出される前記領域からの反射光量とに基づき前記パターンマッチングを行い、前記パターンマッチングを行った結果と、前記第２の反射光量と、前記位置関係とに基づき、前記第２の反射光量の内、前記検知用トナー像が形成されるべき位置における前記像担持体からの反射光量を特定することを特徴とする請求項１又は２に記載の画像形成装置。
【請求項５】
前記第１の反射光量は、前記像担持体に所定枚数分のトナー像が形成される度に、前記光検出手段によって検出されることを特徴とする請求項３又は４に記載の画像形成装置。
【請求項６】
前記第２の反射光量は、前記像担持体に所定枚数分のトナー像が形成される度に、前記光検出手段によって検出されることを特徴とする請求項３乃至５のいずれか１項に記載の画像形成装置。
【請求項７】
前記濃度決定手段により決定される前記検知用トナー像の濃度に基づき、前記像形成手段により形成されるトナー像の濃度を制御する濃度制御手段をさらに有することを特徴とする請求項１乃至６のいずれか１項に記載の画像形成装置。
【請求項８】
回転駆動される像担持体と、前記像担持体にトナー像を形成し、前記像担持体上のトナー像をシートに転写することで、シート上にトナー像を形成する像形成手段と、前記像形成手段によって前記像担持体上に検知用トナー像を形成させる制御手段と、前記像担持体に向けて光を照射する発光部と、前記発光部を発光させることで、前記像担持体からの反射光と、前記像担持体上に形成された前記検知用トナー像からの反射光とを受光する受光部と、前記受光部に受光される反射光量を検出する光検出手段と、を有する画像形成装置の制御方法であって、
前記像担持体の回転方向における前記像担持体の一周未満でトナー像が形成されていない領域からの反射光量と前記像担持体の回転方向における前記像担持体の一周に亘る反射光量とでパターンマッチングを行うことにより前記像担持体の回転方向における前記領域の位置を特定し、前記特定された前記領域の位置と、前記領域と前記検知用トナー像が形成されるべき位置との予め決められた位置関係とに基づき、前記検知用トナー像が形成されるべき位置における前記像担持体からの反射光量を特定する特定ステップと、
前記特定ステップにより特定される前記検知用のトナー像が形成されるべき位置における前記像担持体からの反射光量と、前記光検出手段により検出される前記検知用トナー像からの反射光量とに基づき、前記検知用トナー像の濃度を決定する濃度決定ステップと、
を有することを特徴とする画像形成装置の制御方法。
【手続補正１４】
【補正対象書類名】図面
【補正対象項目名】図１３
【補正方法】変更
【補正の内容】
【図１３】
2011013417.tif 000001